(57)【要約】【課題】  ダイバーシティ効果を利用した良好な通信を行うことのできるラジオマイクを提供することを課題とする。【解決手段】  ラジオマイクは、送信部と、前記送信部を内蔵する筐体と、前記筐体に内蔵され、前記送信部に接続されるダイバーシティ回路と、前記筐体に内蔵され、前記送信部に接続される音声処理部と、前記音声処理部に接続され、前記筐体の一端側に取り付けられるマイクと、前記ダイバーシティ回路に接続され、前記筐体の前記一端側、又は、前記マイクの内部に配設される第１アンテナと、前記ダイバーシティ回路に接続され、前記筐体の他端側に接続される第２アンテナとを含む。【選択図】図１
2014022897.tif 000002
【特許請求の範囲】
【請求項１】
送信部と、
前記送信部を内蔵する筐体と、
前記筐体に内蔵され、前記送信部に接続されるダイバーシティ回路と、
前記筐体に内蔵され、前記送信部に接続される音声処理部と、
前記音声処理部に接続され、前記筐体の一端側に取り付けられるマイクと、
前記ダイバーシティ回路に接続され、前記筐体の一端側、又は、前記マイクの内部に配設される第１アンテナと、
前記ダイバーシティ回路に接続され、前記筐体の他端側に接続される第２アンテナと
を含む、ラジオマイク。
【請求項２】
前記第１アンテナでの通信周波数は、前記第２アンテナでの通信周波数よりも高い、請求項１記載のラジオマイク。
【請求項３】
前記第１アンテナでの通信出力は、前記第２アンテナでの通信出力よりも低い、請求項１又は２記載のラジオマイク。
【発明の詳細な説明】
【技術分野】
【０００１】
本発明は、ラジオマイクに関する。
【背景技術】
【０００２】
従来より、ハンド型のラジオマイクは、声を無線通信で受信装置に伝送できるため、自由に移動ができるマイクとして、テレビ局やラジオ局における音楽番組やニュース番組、カラオケシステム、鉄道の駅等で使用されている。
【０００３】
一般にラジオマイクにおいては、フェージング等の影響を軽減するために、受信装置側にダイバーシティアンテナを用いて使用している（例えば、特許文献１、２参照）。
【先行技術文献】
【特許文献】
【０００４】
【特許文献１】特開２００１‐２０３６１５号公報
【特許文献２】特許第４１９８８９５号
【発明の概要】
【発明が解決しようとする課題】
【０００５】
しかしながら、上述したようなダイバーシティ方式のアンテナでは、下記のような問題がある。
【０００６】
（イ）人体近傍に小形の無線通信装置を設置して使用する場合、人体による電波の遮蔽、吸収、反射によってアンテナの放射特性に影響が生じる。例えば、ハンド型のラジオマイクの下部（マイクが取り付けられる上部とは反対側の下部）にアンテナを設置した場合は、電波が人体によって遮蔽され、人体の後方へは飛びにくくなる。特に、周波数が高い場合（例えば１ＧＨｚ以上の場合）は、人体による電波の遮蔽の影響が顕著に大きくなる。そのため、遮蔽される方向にデータを送信することは困難になる。また、電波が遮蔽される方向では、ダイバーシティ効果を得ることはできない。
【０００７】
また、ハンド型のラジオマイクの下端に、例えば、アンテナ長が使用周波数における波長（λ）の１／４（λ／４）のモノポールアンテナ、又は、ヘリカルタイプのアンテナを取り付けても、ラジオマイクの下端は通常人体の胸部の前方に位置するため、人体によって遮蔽される方向（人体の後方（背面側））に電波を送信することが困難である。
【０００８】
（ロ）人体による遮蔽の影響を回避するために、送信出力を上げると、例えばＵＨＦ帯では１０ｄＢ以上、１ＧＨｚ帯では２０ｄＢ以上出力を増大させる必要があるため、消費電力が増える。
【０００９】
（ハ）特許文献１の図１に記載のワイヤレスマイクシステムのように、ラジオマイクの上端側から電波を受信機に送信し、ラジオマイクの下端から光を受信機に送信することで、ダイバーシティのような効果を得ることが考えられる。
【００１０】
しかしながら、光は人体の遮蔽の影響を電波よりも強く受けることから、人体の後方に光を殆ど送信できず、ダイバーシティの効果は小さい。
【００１１】
（二）特許文献２の図２に記載されているように、マイクの近傍に送信用のアンテナを配置したラジオマイクがあるが、送信用のアンテナが１つであるため、フェージングの影響で、ラジオマイクを持つ人が立つ位置によって、送信ができなくなる不感な場所ができてしまう。
【００１２】
以上のように、従来の装置では、ダイバーシティ効果を利用した良好な通信を行うことが困難であった。
【００１３】
そこで、本発明は、ダイバーシティ効果を利用した良好な通信を行うことのできるラジオマイクを提供することを目的とする。
【課題を解決するための手段】
【００１４】
本発明の一局面のラジオマイクは、送信部と、前記送信部を内蔵する筐体と、前記筐体に内蔵され、前記送信部に接続されるダイバーシティ回路と、前記筐体に内蔵され、前記送信部に接続される音声処理部と、前記音声処理部に接続され、前記筐体の一端側に取り付けられるマイクと、前記ダイバーシティ回路に接続され、前記筐体の一端側、又は、前記マイクの内部に配設される第１アンテナと、前記ダイバーシティ回路に接続され、前記筐体の他端側に接続される第２アンテナとを含む。
【発明の効果】
【００１５】
本発明によれば、ダイバーシティ効果を利用した良好な通信を行うことのできるラジオマイクを提供できるという特有の効果が得られる。
【図面の簡単な説明】
【００１６】
【図１】実施の形態１のラジオマイクの構成を概略的に示す図である。
【図２】実施の形態１のラジオマイク１００の内部構成を示す図である。
【図３】実施の形態１のラジオマイクのアンテナの形状を示す図である。
【図４】人間が実施の形態１のラジオマイク１００を使用する状態を示す図である。
【図５】実施の形態１のラジオマイク１００のアンテナ２０及び４０の放射パターンを示す図である。
【図６】実施の形態２の無線通信装置のアンテナ２０及び４０の放射パターンを示す図である。
【発明を実施するための形態】
【００１７】
以下、本発明のラジオマイクを適用した実施の形態について説明する。
【００１８】
＜実施の形態１＞
図１は、実施の形態１のラジオマイクの構成を概略的に示す図である。
【００１９】
実施の形態１のラジオマイク１００は、ハンド型のラジオマイクであり、筐体１０、アンテナ２０、マイクヘッド３０、及びアンテナ４０を含む。
【００２０】
ラジオマイク１００は、使用者が手で筐体１０を握り、マイクヘッド３０を口に近づけて音声を入力する。筐体１０は、円柱状であり、使用者が手で握りやすいような形状になっている。アンテナ２０は、筐体１０の内部でマイクヘッド３０の近傍に設けられており、アンテナ４０は、筐体１０の内部でアンテナ２０とは反対側に設けられている。
【００２１】
ラジオマイク１００の使用者は、立った状態又は座った状態で、マイクヘッド３０が上側に位置するようにラジオマイク１００を手で持つため、アンテナ２０は上側（人体の頭部に近い側）に位置し、アンテナ４０は下側（人体の足部に近い側）に位置することになる。
【００２２】
このような実施の形態１のハンド型のラジオマイク１００は、２つのアンテナ２０及び４０を用いたダイバーシティ方式で、マイクヘッド３０に入力される音声を表す信号を図示しない受信装置に送信する。
【００２３】
ここで、ラジオマイク１００においては、アンテナ２０の通信周波数は１．２ＧＨｚであり、アンテナ４０の通信周波数は８００ＭＨｚである。
【００２４】
次に、図２を用いて、ラジオマイク１００の構成について説明する。
【００２５】
図２は、実施の形態１のラジオマイク１００の内部構成を示す図である。
【００２６】
筐体１０は、送信部１１、ダイバーシティ回路１２、周波数変換回路１３、整合回路１４、周波数変換回路１５、及び音声処理回路１６を有する。また、筐体１０のダイバーシティ回路１２には、整合回路２１を介してアンテナ２０が接続され、整合回路１４にはアンテナ４０が接続され、音声処理回路１６にはマイクヘッド３０が接続されている。筐体１０は、使用者の手によって握られる。
【００２７】
なお、図２はラジオマイク１００に含まれる構成要素の接続関係を説明するための図であり、図２に示す各構成要素の位置関係は、実際のラジオマイク１００に含まれる各構成要素とは異なる。
【００２８】
送信部１１は、入力端子が音声処理回路１６に接続され、出力端子がダイバーシティ回路１２に接続される。送信部１１は、マイクヘッド３０に入力され、音声処理回路１６で処理された信号を送信する回路である。送信部１１は、音声処理回路１６で処理された信号をダイバーシティ回路１２に入力する。
【００２９】
ダイバーシティ回路１２は、送信部１１から入力される信号を周波数変換回路１３、１５に出力する。ラジオマイク１００がアンテナ２０で送信を行うときは、ダイバーシティ回路１２は信号を周波数変換回路１５に出力し、ラジオマイク１００がアンテナ４０で送信を行うときは、ダイバーシティ回路１２は信号を周波数変換回路１３に出力する。
【００３０】
周波数変換回路１３は、ダイバーシティ回路１２から入力される信号を８００ＭＨｚの搬送波に重畳して整合回路１４に出力する。すなわち、ダイバーシティ回路１２から出力される信号は、周波数変換回路１３で変調されて整合回路１４に入力される。
【００３１】
整合回路１４は、アンテナ４０のインピーダンスを調整するための回路であり、例えば、インダクタ（Ｌ）又はキャパシタ（Ｃ）を有する。アンテナ４０は、整合回路１４によって周波数変換回路１３とインピーダンス整合が取られる。
【００３２】
周波数変換回路１５は、ダイバーシティ回路１２から入力される信号を１．２ＧＨｚの搬送波に重畳して整合回路２１に出力する。すなわち、ダイバーシティ回路１２から出力される信号は、周波数変換回路１５で変調されて整合回路２１に入力される。
【００３３】
音声処理回路１６は、マイクヘッド３０から入力される音声信号の変調等の処理を行い、送信部１１に入力する。
【００３４】
アンテナ２０は、通信周波数が１．２ＧＨｚのモノポールアンテナであり、その長さは、１．２ＧＨｚにおける波長λの約１／４（λ／４）に設定されている。アンテナ２０は、例えば、銅線によって構成される。なお、アンテナ２０は、銅以外の金属製であってもよい。
【００３５】
アンテナ２０は、給電線路２０Ａ、整合回路２１、給電線路２２、及び周波数変換回路１５を介して、筐体１０のダイバーシティ回路１２の一方の出力端子に接続されており、第１アンテナの一例である。アンテナ２０は、ダイバーシティ回路１２から周波数変換回路１５、給電線路２２、整合回路２１、及び給電線路２０Ａを介して入力される信号を放射する。
【００３６】
また、図２ではアンテナ２０とマイクヘッド３０を離して示すが、実際にはアンテナ２０は、筐体１０内の一端側（上端側）でマイクヘッド３０の近傍に配設される（図１参照）。なお、アンテナ２０とマイクヘッド３０は絶縁されており、マイクヘッド３０がアンテナ２０の放射特性に影響を与えないように構成されている。アンテナ２０の形状については、図３を用いて後述する。
【００３７】
整合回路２１は、アンテナ２０のインピーダンスを調整するための回路であり、例えば、インダクタ（Ｌ）又はキャパシタ（Ｃ）を有する。アンテナ２０は、整合回路２１によって周波数変換回路１５とインピーダンス整合が取られる。
【００３８】
ラジオマイク１００は、ハンド型ラジオマイクである。マイクヘッド３０は、ラジオマイク１００の使用者が筐体１０を手で握って保持した状態で、使用者の口の前方に位置する。すなわち、ラジオマイク１００が使用されるときは、ラジオマイク１００は、使用者の頭部の前方に位置する。
【００３９】
マイクヘッド３０は、配線３０Ａを介して筐体１０の音声処理回路１６に接続されている。ラジオマイク１００の使用者が発する音声は、マイクヘッド３０によって拾われて電気信号に変換され、配線３０Ａを通じて音声処理回路１６に入力される。なお、マイクヘッド３０は、筐体１０から取り外し可能に構成されていてもよい。例えば、用途（ニュース番組用、又は、音楽番組用）等に応じて、指向性等の特性の異なるマイクヘッド３０を選択して筐体１０に取り付けるようにしてもよい。
【００４０】
アンテナ４０は、通信周波数が８００ＭＨｚのモノポールアンテナであり、その長さは、８００ＭＨｚにおける波長λの約１／４（λ／４）に設定されている。アンテナ４０は、例えば、銅線によって構成される。なお、アンテナ４０は、銅以外の金属製であってもよい。
【００４１】
アンテナ４０は、筐体１０に内蔵され、筐体１０の他端側（マイクヘッド３０が取り付けられる一端側（上端側）とは反対側（下端側））に配設される。アンテナ４０は、第２アンテナの一例である。
【００４２】
アンテナ４０は、整合回路１４を介して、筐体１０内のダイバーシティ回路１２の他方の出力端子に接続されている。アンテナ４０は、ダイバーシティ回路１２から周波数変換回路１３及び整合回路１４を介して入力される信号を放射する。
【００４３】
図３は、実施の形態１のラジオマイクのアンテナの形状を示す図である。図３（Ａ）、（Ｂ）では、理解しやすさの観点から、筐体１０内のアンテナ２０、４０を透過的に示す。
【００４４】
図３（Ａ）に示すラジオマイク１００では、アンテナ２０は、筐体１０の内部の一端１０Ａ側において、ミアンダ状にパターニングされている。このようなミアンダ状のアンテナ２０は、円筒状の筐体１０の内表面に形成すればよい。
【００４５】
また、図３（Ａ）に示すアンテナ４０は、筐体１０の他端１０Ｂ側において、アンテナ２０と同様にミアンダ状にパターニングされている。このようなミアンダ状のアンテナ４０は、アンテナ２０と同様に、円筒状の筐体１０の内表面に形成すればよい。
【００４６】
図３（Ｂ）に示すラジオマイク１００では、アンテナ２０は、筐体１０の内部の一端１０Ａ側において、一端２０Ａと他端２０Ｂとの間で、筐体１０の内周面に沿って折り曲げられながら、平面視で（ラジオマイク１００をマイクヘッド３０の上方から見た状態で）円弧を描くようにパターニングされている。このようなミアンダ状のアンテナ２０は、円筒状の筐体１０の内表面に形成すればよい。
【００４７】
なお、図３（Ｂ）に示すアンテナ４０は、図３（Ａ）に示すアンテナ４０と同様にミアンダ状にパターニングされている。
【００４８】
アンテナ２０とアンテナ４０は、それぞれ、筐体１０の一端１０Ａ側と他端１０Ｂ側において、様々な形状にパターニングすることができる。従って、図３（Ａ）、（Ｂ）に示すアンテナ２０、４０の形状は一例にすぎず、例えば、アンテナ２０、４０を筐体１０の内周面に沿って螺旋状にパターニングしてもよい。
【００４９】
また、アンテナ２０、４０は、チップ状のアンテナ（所謂チップアンテナ）であってもよい。アンテナ２０をチップアンテナにする場合は、アンテナ２０は、筐体１０の内部ではなく、マイクヘッド３０に内蔵されていてもよい。アンテナ２０がマイクヘッド３０に内蔵される場合は、アンテナ２０は、筐体１０の外部に位置することになる。
【００５０】
次に、図４を用いて、実施の形態１のラジオマイク１００の使用の仕方について説明する。
【００５１】
図４は、人間が実施の形態１のラジオマイク１００を使用する状態を示す図である。
【００５２】
人間がラジオマイク１００を使用する際には、ラジオマイク１００は、人体の頭部の前方に配置される。これは、使用者が手で握ったラジオマイク１００のマイクヘッド３０を自分の口の前に位置させるからである。図４には、使用者が右手でラジオマイク１００の筐体１０を握っている状態を示す。
【００５３】
この状態で、アンテナ２０はアンテナ４０よりも上方に位置し、アンテナ４０は、使用者の右手の少し下方に位置する。
【００５４】
ここで、人体は誘電体であり、一般に、身長は成人で約１．４ｍから約１．８ｍ程度である。例えば、ＵＨＦ帯の中でも周波数が約１ＧＨｚから約５００ＭＨｚの帯域は、波長が約３０ｃｍ〜約６０ｃｍであるため、この帯域の信号は人体による遮蔽等の影響をうけやすい。これは、人体の寸法が波長の整数倍の関係になりやすいからである。
【００５５】
また、人体は、一般に、腰部や胸部等の身長方向における中央部が最も幅広く、肩より上の首及び頭部は、肩より下の部位に比べて幅が細いため、上述の帯域の信号に与える影響は軽微であることが分かっている。
【００５６】
また、周波数が高くなると自由空間損失が大きくなるため、一般に、周波数の高い信号は、周波数の低い信号よりも放射し難い傾向がある。
【００５７】
また、地面はグランド電位に保持されているため、地面から高い場所の方がグランド電位の影響が少なく、信号は放射しやすい。
【００５８】
以上のような理由から、実施の形態１のラジオマイク１００は、アンテナ２０をアンテナ４０よりも高い部位に配置し、また、アンテナ２０の出力をアンテナ４０の出力の半分に設定している。また、アンテナ２０の通信周波数（１．２ＧＨｚ）をアンテナ４０の通信周波数（８００ＭＨｚ）よりも高くしている。
【００５９】
すなわち、ラジオマイク１００は、使用者が筐体１０を右手又は左手で握ってマイクヘッド３０を口に近づけることにより、図４に示すように、アンテナ２０が上方に位置し、アンテナ４０が下方に位置する状態で使用される。
【００６０】
この状態では、アンテナ２０は使用者の頭部の前方にあり、使用者の肩よりも上に位置する。一方、アンテナ４０は、使用者の肩よりも下、あるいは、使用者の肩と同じくらいの高さ、又は、使用者の肩より上であってもアンテナ２０よりも使用者の肩に近い位置に存在することになる。ここでは説明の便宜上、アンテナ４０は、使用者の胸部の前方に位置することとして説明を行う。
【００６１】
図５は、実施の形態１のラジオマイク１００のアンテナ２０及び４０の放射パターンを示す図である。図５（Ａ）は水平面内での放射パターンを示し、図５（Ｂ）は垂直面内での放射パターンを示す。
【００６２】
なお、図５（Ａ）に示す水平面内の放射パターンは、人体を上方から見た場合の放射パターンであり、９０度の方向が人体の正面側を示し、２７０度の方向が人体の背面側を示す。
【００６３】
また、図５（Ｂ）に示す垂直面内の放射パターンは、人体を左側部から見た場合の放射パターンであり、９０度の方向が水平方向における正面方向を示し、０度の方向が鉛直上方を示し、２７０度の方向が人体の水平方向における背面方向を示す。
【００６４】
また、図５（Ａ）、（Ｂ）において、逆三角（▼）のプロットはアンテナ２０（１．２ＧＨｚ）の放射パターンを示し、黒丸（●）のプロットはアンテナ４０（８００ＭＨｚ）の放射パターンを示す。
【００６５】
また、図５（Ａ）、（Ｂ）における放射パターンの振幅値は、人体が存在しないときのアンテナ利得（アンテナ２０、４０単体のアンテナ利得）を０ｄＢとして規格化した値である。
【００６６】
図５（Ａ）に示すように、アンテナ２０の水平面内の放射パターン（▼印）は、正面側の約０度から約１８０度の広い範囲で約０ｄＢ前後の値が得られている。また、アンテナ２０の水平面内の放射パターン（▼印）は、背面側では２１０度や３３０度において約−５ｄＢが得られており、３００度において−１０ｄＢである。
【００６７】
また、図５（Ａ）に示すアンテナ４０の水平面内の放射パターン（●印）は、正面側の約２０度から約１６０度の範囲で約０ｄＢ程度の値が得られている。また、アンテナ４０の水平面内の放射パターン（●印）は、背面側の背面側の２１０度や３３０度では約−７．５ｄＢが得られており、２７０度では−１０ｄＢである。
【００６８】
すなわち、アンテナ２０のアンテナ利得は、アンテナ４０の利得と略同じである。
【００６９】
ここで、上述したように、アンテナ２０の出力は、アンテナ４０の出力の半分であり、また、アンテナ２０の通信周波数（１．２ＧＨｚ）は、アンテナ４０の通信周波数（８００ＭＨｚ）よりも高く設定されている。
【００７０】
従って、アンテナ２０は、アンテナ４０の半分の出力であるにもかかわらず、人体の頭部や肩の上部を超えて通信を行うことができるため、少ない出力でも人体の後方に電波を放射することができる。
【００７１】
また、図５（Ｂ）に示すように、アンテナ２０の垂直面内の放射パターンは、約５０度から約９０度まで約０ｄＢ前後の値が得られた。また、アンテナ４０の垂直面内の放射パターンは、約４０度から約１３０度において約０ｄＢから約５ｄＢ程度の値が得られた。
【００７２】
以上より、アンテナ２０は、アンテナ４０の半分の出力でも、人体が存在しないときと同様の振幅値が得られた。また、図５（Ａ）に示す水平面内の放射パターンから分かるように、アンテナ２０は、アンテナ４０の半分の出力であるのに、背面側での振幅値の減衰の度合は、アンテナ４０の正面側での振幅値の減衰よりも軽微であった。
【００７３】
これは、アンテナ２０は、人体の前方の高い位置（頭部の口に近い位置）に配置されており、すなわち、アンテナ４０が配置される位置（胸部の前方）よりも人体の幅の細い首や頭部に近い位置に配置されているため、アンテナ４０よりも人体の反対側への放射が得られたためと考えられる。
【００７４】
アンテナ２０が配置される部位は、アンテナ４０が配置される胸部よりも人体の幅の細い首や頭部に近いため、アンテナ４０が配置される部位よりも人体による遮蔽の影響を受けにくい部位である。
【００７５】
アンテナ２０の出力は、アンテナ４０の出力の半分であるが、アンテナ２０から放射される電波は、人体の幅の細い首や頭部の脇や、頭部の上方を抜けて人体の上部を超えることができるため、良好な放射特性が得られたものと考えられる。
【００７６】
以上より、実施の形態１によれば、アンテナ２０をマイクヘッド３０の近傍に設け、アンテナ２０を人体の首や頭部に近い部位であって、筐体１０の下部に取り付けられるアンテナ４０よりも高い部位に配置することにより、アンテナ２０の高い放射特性を得ることができる。
【００７７】
アンテナ４０は人体の胸部の前方に配置され、胸部は人体の中でも最も幅の広い部位であるため、人体による遮蔽の影響を受け、人体の背面側への放射は正面側への放射に比べて大きく減衰する。
【００７８】
一方、アンテナ２０は使用者の頭部の口の前方に配置され、頭部は人体の中でも比較的幅の細い部位であり、頭部の上方は人体によって遮られず、また、頭部の下方には、人体の中でも、最も幅の細い部分の一つである首がある。
【００７９】
このため、アンテナ２０から放射される信号は、アンテナ４０から放射される信号に比べると人体による遮蔽の影響が小さく、首や頭部の脇及び頭部の上方を通って背面側にも放射すると考えられる。すなわち、アンテナ２０は、アンテナ４０よりも人体の遮蔽の影響を受けにくい部位に配置されている。
【００８０】
また、アンテナ２０は、アンテナ４０よりも高い位置に配置されるため、地面のグランド電位による影響を受けにくく、高い放射特性が得られると考えられる。
【００８１】
このため、実施の形態１のラジオマイク１００では、アンテナ２０の出力をアンテナ４０の出力の半分に設定している。このように出力を設定しても、図５（Ａ）、（Ｂ）に示すように、アンテナ２０の放射パターンの振幅値は、アンテナ４０の放射パターンの振幅値と略同じレベルの値が得られている。これは、アンテナ２０の方がアンテナ４０よりも放射特性が良好であるため、出力を半分にしてアンテナ４０とのバランスを取ったものである。
【００８２】
アンテナ２０から放射される電波は、首や頭部等の人体の中でも比較的幅の細い部位の脇及び頭部の上方を通って背面側に抜ける割合が多いと考えられるため、このように出力を落とすことにより、消費電力の低減を図ることができる。
【００８３】
また、アンテナ２０は、アンテナ４０よりも人体の遮蔽の影響を受けにくい部位に配置されているため、より高い周波数での通信が可能になる。このため、実施の形態１のラジオマイク１００では、アンテナ２０の通信周波数を１．２ＧＨｚにし、アンテナ４０の通信周波数を８００ＭＨｚにしている。
【００８４】
以上のように、実施の形態１のラジオマイク１００は、筐体１０の上部に取り付けられるマイクヘッド３０の近傍にアンテナ２０を配置し、筐体１０の下方にアンテナ４０を配置している。このため、使用者がラジオマイク１００を保持している状態では、アンテナ２０は人体の遮蔽の影響を受けにくい首や頭部の近傍に位置し、もう一方のアンテナ４０は人体の胸部の前方に位置する。胸部の前方は、首や頭部の前方に比べると、人体の遮蔽を受けやすい部位である。
【００８５】
また、例えば、周波数が１．２ＧＨｚでは、波長は約２０センチ強程度であるため、筐体１０の長さを例えば２５センチに設定すると、アンテナ２０とアンテナ４０とは十分に離れているため、アンテナ２０とアンテナ４０の相関は十分に低くなる。
【００８６】
このため、実施の形態１によれば、十分なダイバーシティ効果が得られ、良好な通信を行うことのできるラジオマイク１００を提供することができる。
【００８７】
使用者が図４に示すようにラジオマイク１００を手で握ってマイクヘッド３０を口の前方に位置させると、使用者の前方（正面側）及び後方（背面側）に良好な放射パターンが得られるため、図示しない受信装置に対してどちらの方向を向いても、マイクヘッド３０に入力される音声を受信装置で確実に受信することができる。これは例えば、大きなコンサートホールのステージに立つ歌手が、受信装置に対してどちらの方向を向いても、マイクヘッド３０に入力される音声をラジオマイク１００の十分なダイバーシティ効果で確実に受信装置に送信できることを意味する。
【００８８】
また、従来の装置において、使用する周波数帯がＵＨＦ帯等のように波長が比較的長い場合に、十分なダイバーシティ効果を得るためにアンテナ同士の間の距離を長く取ると、無線通信装置が大型化するという問題が生じる。
【００８９】
これは、例えば、特許文献２の図２に記載のラジオマイクにおいて、例えば、送信周波数を８００ＭＨｚより低くする（例えば、３００ＭＨｚ又は５００ＭＨｚにする）場合は、波長が長くなることによってアンテナが大きくなるため、ラジオマイクという比較的小型の装置の内部に大きなアンテナを設置することが困難になる場合がある。
【００９０】
これに対して、実施の形態１のラジオマイク１００は、大型化を図ることなく、十分なダイバーシティ効果を得ることができる。
【００９１】
また、従来の装置において、人体の影響を回避するために、送信出力を上げると、例えばＵＨＦ帯では１０ｄＢ以上、ｌＧＨｚ帯では２０ｄＢ以上出力を増大する必要があるため、電力消費が大きくなるという問題がある。
【００９２】
これに対して、実施の形態１のラジオマイク１００は、アンテナ２０の出力を低減でき、低消費電力化を図ることができる。
【００９３】
以上、実施の形態１によれば、アンテナ２０を筐体１０内のマイクヘッド３０の近傍（一端側）に配置し、アンテナ４０を筐体１０内の他端側に配置することにより、良好な放射特性、低消費電力化、及び十分なダイバーシティ効果が得られるラジオマイク１００を提供することができる。
【００９４】
また、以上では、アンテナ２０の通信周波数（１．２ＧＨｚ）をアンテナ４０の通信周波数（８００ＭＨｚ）よりも高くする形態について説明したが、アンテナ２０及び４０の通信周波数は等しくてもよい。これについては、実施の形態２で説明する。
【００９５】
＜実施の形態２＞
図６は、実施の形態２の無線通信装置のアンテナ２０及び４０の放射パターンを示す図である。図６（Ａ）は水平面内での放射パターンを示し、図６（Ｂ）は垂直面内での放射パターンを示す。
【００９６】
実施の形態２の無線通信装置は、周波数変換回路１３が１．２ＧＨｚの搬送波に、ダイバーシティ回路１２から入力される信号を重畳する点が実施の形態１のラジオマイク１００と異なる。すなわち、アンテナ２０の通信周波数とアンテナ４０の通信周波数とは等しく、ともに１．２ＧＨｚである。
【００９７】
その他の構成は実施の形態１のラジオマイク１００と同様であるため、以下では同様の回路構成を有するものとして説明する。
【００９８】
図６（Ａ）、（Ｂ）において、逆三角（▼）のプロットはアンテナ２０（１．２ＧＨｚ）の放射パターンを示し、黒丸（●）のプロットはアンテナ４０（１．２ＧＨｚ）の放射パターンを示す。
【００９９】
また、図６（Ａ）、（Ｂ）における放射パターンの振幅値は、人体が存在しないときのアンテナ利得（アンテナ２０、４０単体のアンテナ利得）を０ｄＢとして規格化した値である。
【０１００】
図６（Ａ）に示すように、アンテナ２０の水平面内の放射パターン（▼印）は、正面側の約０度から約１８０度の広い範囲で約０ｄＢ前後の値が得られている。また、アンテナ２０の水平面内の放射パターン（▼印）は、背面側では２１０度や３３０度においても約−５ｄＢが得られており、３００度において−１０ｄＢである。これは、図５（Ａ）に示すアンテナ２０の水平面内の放射パターン（▼印）と同一である。
【０１０１】
また、図６（Ａ）に示すように、アンテナ４０の水平面内の放射パターンは、前面側及び背面側で図５（Ａ）に示す８００ＭＨｚの場合に比べて少しアンテナ利得が低下している。これは、図５（Ａ）に示す場合（８００ＭＨｚ）に比べてアンテナ４０の周波数が高くなったことにより、自由空間損失が大きくなったためである。
【０１０２】
また、図６（Ｂ）に示すように、アンテナ２０の垂直面内の放射パターンは、約５０度から約９０度まで約０ｄＢ前後の値が得られた。また、アンテナ４０の垂直面内の放射パターンは、約４０度から約１３０度において約０ｄＢから約５ｄＢ程度の値が得られた。これは、図５（Ｂ）に示すアンテナ２０の垂直面内の放射パターン（▼印）と同一である。
【０１０３】
また、アンテナ４０の垂直面内の放射パターンは、前面側及び背面側で図５（Ａ）に示す８００ＭＨｚの場合に比べて少しアンテナ利得が低下している。これは、図５（Ａ）に示す場合（８００ＭＨｚ）に比べてアンテナ４０の周波数が高くなったことにより、自由空間損失が大きくなったためである。
【０１０４】
以上より、アンテナ２０は、アンテナ４０の半分の出力でも、人体が存在しないときと同様の振幅値が得られた。また、図６（Ａ）に示す水平面内の放射パターンから分かるように、アンテナ２０は、アンテナ４０の半分の出力であるのに、背面側での振幅値の減衰の度合は、アンテナ４０の正面側での振幅値の減衰よりも軽微であった。
【０１０５】
これは、アンテナ２０は、人体の前方の高い位置（頭部の口に近い位置）に配置されており、すなわち、アンテナ４０が配置される位置（胸部の前方）よりも人体の幅の細い首や頭部に近い位置に配置されているため、アンテナ４０よりも人体の反対側への放射が得られたためと考えられる。
【０１０６】
アンテナ２０が配置される部位は、アンテナ４０が配置される胸部よりも人体の幅の細い首や頭部に近いため、アンテナ４０が配置される部位よりも人体による遮蔽の影響を受けにくい部位である。
【０１０７】
アンテナ２０の出力は、アンテナ４０の出力の半分であるが、アンテナ２０から放射される電波は、人体の幅の細い首や頭部の脇や、頭部の上方を抜けて人体の上部を超えることができるため、良好な放射特性が得られたものと考えられる。
【０１０８】
以上より、実施の形態２によれば、アンテナ２０及び４０の通信周波数が等しい場合においても、実施の形態１と同様に、アンテナ２０を筐体１０内のマイクヘッド３０の近傍（一端側）に配置し、アンテナ４０を筐体１０内の他端側に配置することにより、良好な放射特性、低消費電力化、及び十分なダイバーシティ効果が得られる無線通信装置を提供することができる。
【０１０９】
以上、本発明の例示的な実施の形態のラジオマイクについて説明したが、本発明は、具体的に開示された実施の形態に限定されるものではなく、特許請求の範囲から逸脱することなく、種々の変形や変更が可能である。
【符号の説明】
【０１１０】
１００  無線通信装置
１０  本体
１１  送信部
１２  ダイバーシティ回路
１３  周波数変換回路
１４  整合回路
１５  周波数変換回路
２０  アンテナ
３０  マイク
４０  アンテナ
【図１】
2014022897.tif 000003
【図２】
2014022897.tif 000004
【図３】
2014022897.tif 000005
【図４】
2014022897.tif 000006
【図５】
2014022897.tif 000007
【図６】
2014022897.tif 000008